(57)【要約】【課題】プロジェクタの投射光源が消灯してしまった場合に、ユーザが手動で再電源投入動作を行う手間を軽減すること。【解決手段】光源ランプ４６と、光源ランプ４６が点灯状態から消灯状態になったことを検出する消灯検出部６３と、消灯検出部６３による検出をトリガとして、光源ランプ４６を再点灯させるための再点灯処理を行う再点灯制御部３５と、を備えたプロジェクタ１０である。【選択図】図１
2009163095.tif 000002
【特許請求の範囲】
【請求項１】
投射光源と、
前記投射光源が消灯したことを検出する消灯検出部と、
前記消灯検出部による検出をトリガとして、前記投射光源を再点灯させるための再点灯処理を行う再点灯制御部と、を備えたことを特徴とするプロジェクタ。
【請求項２】
前記再点灯処理を実行可能な最大処理回数Ｎ（但し、ＮはＮ≧２となる整数）を記憶する記憶部をさらに備え、
前記再点灯制御部は、電源ＯＮ後、前記再点灯処理の実行回数をカウントし、前記Ｎ回を上限として前記再点灯処理を行うと共に、（Ｎ＋１）回目の前記消灯検出部による検出をトリガとしてエラー報知処理を行うことを特徴とする請求項１に記載のプロジェクタ。
【請求項３】
前記最大処理回数Ｎを設定する最大処理回数設定部をさらに備え、
前記記憶部は、前記最大処理回数設定部による設定にしたがって前記Ｎの値を書き換えることを特徴とする請求項２に記載のプロジェクタ。
【請求項４】
前記再点灯処理の実行回数を集計し、当該集計結果に基づいて前記記憶部に記憶された前記最大処理回数Ｎを動的に変更する処理回数学習部をさらに備えたことを特徴とする請求項２に記載のプロジェクタ。
【請求項５】
前記記憶部は、前記再点灯処理において前記投射光源の点灯リトライを許容する最大リトライ回数Ｍ（但し、ＭはＭ≧２となる整数）をさらに記憶し、
前記再点灯制御部は、前記再点灯処理実行時において前記点灯リトライの実行回数をカウントし、前記Ｍ回の点灯リトライ後も前記投射光源が点灯しない場合、当該再点灯処理が失敗したものとして前記エラー報知処理を行うことを特徴とする請求項２ないし４のいずれか１項に記載のプロジェクタ。
【請求項６】
前記最大リトライ回数Ｍを設定する最大リトライ回数設定部をさらに備え、
前記記憶部は、前記最大リトライ回数設定部による設定にしたがって前記Ｍの値を書き換えることを特徴とする請求項５に記載のプロジェクタ。
【請求項７】
前記投射光源の点灯成功までに実行された点灯リトライ回数を集計し、当該集計結果に基づいて前記記憶部に記憶された前記最大リトライ回数Ｍを動的に変更するリトライ回数学習部をさらに備えたことを特徴とする請求項５に記載のプロジェクタ。
【請求項８】
前記投射光源の異常温度を検出する温度検出部をさらに備え、
前記再点灯制御部は、前記温度検出部により所定温度以上の温度を検出した後に前記消灯検出部により前記投射光源の消灯を検出した場合は、前記再点灯処理を実行しないことを特徴とする請求項１ないし７のいずれか１項に記載のプロジェクタ。
【請求項９】
コンピュータを、請求項１ないし８のいずれか１項に記載のプロジェクタの各部として機能させるためのプログラム。
【発明の詳細な説明】
【技術分野】
【０００１】
投射光源からの投射によって投射対象物に映像を投影するプロジェクタおよびプログラムに関するものである。
【背景技術】
【０００２】
従来、電源投入時に投射光源の不点灯が検出された場合、あらかじめ設定された回数を限度として再電源投入動作（点灯リトライ動作）を行うプロジェクタが知られている（例えば、特許文献１）。この場合の投射光源の不点灯は、投射光源の故障や内部温度の異常上昇を起因とするものである。
【特許文献１】特開２００１−３１２０００号公報（段落番号「００１４」等）
【発明の開示】
【発明が解決しようとする課題】
【０００３】
ところで、投射光源の不点灯（消灯）は、電源投入時だけでなく通常処理時（電源ＯＮ後における投射光源の最初の点灯処理成功後から電源ＯＦＦまで）においても発生する可能性がある。例えば、電源供給状態が不安定な地域で作動させる場合は、投射光源が突然消灯してしまう虞がある。しかしながらこのような場合、従来のプロジェクタは、再電源投入動作を手動で行う必要があるため面倒である。特に、天吊りタイプ（固定式）のものであってリセットボタンが装置本体に設けられたプロジェクタの場合、ユーザが操作可能な位置までプロジェクタを吊り下げて再電源投入動作を行う必要があり、多くの労力と時間を費やすことになってしまう。
【０００４】
本発明は、上記の問題点に鑑み、プロジェクタの投射光源が消灯してしまった場合において、ユーザが再電源投入動作を行う手間を軽減し得るプロジェクタおよびプログラムを提供することを目的とする。
【課題を解決するための手段】
【０００５】
本発明のプロジェクタは、投射光源と、投射光源が消灯したことを検出する消灯検出部と、消灯検出部による検出をトリガとして、投射光源を再点灯させるための再点灯処理を行う再点灯制御部と、を備えたことを特徴とする。
【０００６】
この構成によれば、投射光源が消灯したことを検出したとき、投射光源を再点灯させるための再点灯処理を自動的に実行するため、ユーザが手動で再電源投入動作を行う手間を省くことができる。
なお、「投射光源が消灯したこと」とは、投射光源が点灯状態から消灯状態になったことを指すものであり、消灯状態が継続している状態（投射光源が消灯していること）を指すものではない。また、「消灯検出部」は、電源ＯＮ後における投射光源の最初の点灯処理成功後から電源ＯＦＦまでの状態である通常処理時において検出を行うものである。すなわち、電源ＯＮ直後の最初の点灯処理が不成功だった場合は、点灯状態から消灯状態に移行したものではないため、消灯検出部の検出対象外となる。
【０００７】
上記に記載のプロジェクタにおいて、再点灯処理を実行可能な最大処理回数Ｎ（但し、ＮはＮ≧２となる整数）を記憶する記憶部をさらに備え、再点灯制御部は、電源ＯＮ後、再点灯処理の実行回数をカウントし、Ｎ回を上限として再点灯処理を行うと共に、（Ｎ＋１）回目の消灯検出部による検出をトリガとしてエラー報知処理を行うことが好ましい。
【０００８】
この構成によれば、複数回（Ｎ回）の再点灯処理を実行可能であるため、電源状態が不安定な状況が長く続いた場合でも、再電源投入動作を行うためのユーザの手間を軽減できる。また、（Ｎ＋１）回目の消灯検出時にはエラー報知を行うため、ユーザはランプ異常が発生したことを認識することができる。
【０００９】
上記に記載のプロジェクタにおいて、最大処理回数Ｎを設定する最大処理回数設定部をさらに備え、記憶部は、最大処理回数設定部による設定にしたがってＮの値を書き換えることが好ましい。
【００１０】
この構成によれば、プロジェクタの使用状況やニーズに応じて、最大処理回数Ｎを設定することができる。また、固体によって適切な最大処理回数Ｎが異なることが想定できるが、その点を踏まえた上でユーザが適切な最大処理回数Ｎを設定することができる。
【００１１】
上記に記載のプロジェクタにおいて、再点灯処理の実行回数を集計し、当該集計結果に基づいて記憶部に記憶された最大処理回数Ｎを動的に変更する処理回数学習部をさらに備えたことが好ましい。
【００１２】
この構成によれば、再点灯処理の実行回数を集計し、再点灯処理の実行状況を学習することによって、ユーザの手を煩わせることなく、固体毎に適切な最大処理回数Ｎを設定することができる。
なお、学習の仕方としては、通常処理時における再点灯処理の実行回数の平均値や中心値（最大値と最小値の中心となる値）を最大処理回数Ｎとして記憶したり、最も多い再点灯処理の実行回数を最大処理回数Ｎとして記憶したり、などが考えられる。
【００１３】
上記に記載のプロジェクタにおいて、記憶部は、再点灯処理において投射光源の点灯リトライを許容する最大リトライ回数Ｍ（但し、ＭはＭ≧２となる整数）をさらに記憶し、再点灯制御部は、再点灯処理実行時において点灯リトライの実行回数をカウントし、Ｍ回の点灯リトライ後も投射光源が点灯しない場合、当該再点灯処理が失敗したものとしてエラー報知処理を行うことが好ましい。
【００１４】
この構成によれば、再点灯処理において１回の点灯動作で投射光源が点灯しない場合でも、複数回（Ｍ回）の点灯動作を繰り返すため（点灯リトライするため）、再点灯処理の失敗の確率、すなわちランプ異常の発生率を低くすることができる。
【００１５】
上記に記載のプロジェクタにおいて、最大リトライ回数Ｍを設定する最大リトライ回数設定部をさらに備え、記憶部は、最大リトライ回数設定部による設定にしたがってＭの値を書き換えることが好ましい。
【００１６】
この構成によれば、プロジェクタの使用状況やニーズに応じて、最大リトライ回数Ｍを設定することができる。また、固体によって適切な最大リトライ回数Ｍが異なることが想定できるが、その点を踏まえた上でユーザが適切な最大リトライ回数Ｍを設定することができる。
【００１７】
上記に記載のプロジェクタにおいて、投射光源の点灯成功までに実行された点灯リトライ回数を集計し、当該集計結果に基づいて記憶部に記憶された最大リトライ回数Ｍを動的に変更するリトライ回数学習部をさらに備えたことが好ましい。
【００１８】
この構成によれば、点灯リトライ回数を集計し、点灯動作の実行状況を学習することによって、ユーザの手を煩わせることなく、固体毎に適切な最大リトライ回数Ｍを設定することができる。
なお、学習の仕方としては、点灯リトライ回数の平均値や中心値（最大値と最小値の中心となる値）を最大リトライ回数Ｍとして記憶したり、最も多い点灯リトライ回数を最大リトライ回数Ｍとして記憶したり、などが考えられる。
【００１９】
上記に記載のプロジェクタにおいて、投射光源の温度を検出する温度検出部をさらに備え、再点灯制御部は、温度検出部により所定温度以上の温度を検出した後に消灯検出部により投射光源の消灯を検出した場合は、再点灯処理を実行しないことが好ましい。
【００２０】
この構成によれば、投射光源の異常温度を検出した場合、安全性の面から投射光源を消灯する処理が行われることがあるが、そのような場合（異常温度の検出を起因とした投射光源の消灯を検出した場合）は再点灯処理を実行しないため、安全性を確保することができる。
【００２１】
本発明のプログラムは、コンピュータを、上記に記載のプロジェクタの各部として機能させるためのものであることを特徴とする。
【００２２】
このプログラムを用いることにより、投射光源が消灯してしまった場合においてユーザが再電源投入動作を行うための手間を軽減し得るプロジェクタを実現することができる。
【発明を実施するための最良の形態】
【００２３】
以下、添付した図面を参照して、本発明の一実施形態に係るプロジェクタおよびプログラムについて説明する。図１は、プロジェクタ１０の構成を示すブロック図である。同図に示すように、プロジェクタ１０は、電源装置２１、検出装置２２、操作装置２５、光源装置２６、点灯装置２７、冷却装置２８、エラー報知装置２９および制御装置３０を備えている。
【００２４】
電源装置２１は、外部電源７１から供給された電力をプロジェクタ１０の各部に供給する主電源４１と、スタンバイ状態において外部電源７１から供給された電力を制御装置３０のみに供給するサブ電源４２と、を有している。
【００２５】
検出装置２２は、光源装置２６（光源ランプ４６）の温度を所定時間間隔で検出する温度検出部６１と、点灯装置２７による点灯動作に対して光源ランプ４６が点灯しなかったことを検出する不点灯検出部６２と、通常処理時において光源装置２６が消灯したこと（点灯状態から消灯状態に移行したこと）を検出する消灯検出部６３と、を有している。なお、「不点灯検出部６２」により不点灯が検出された場合、操作装置２５の操作によって設定された最大リトライ回数を限度として点灯リトライが実行される。また、「通常処理時」とは、主電源４１がＯＮした後の最初の点灯処理成功後から主電源４１がＯＦＦするまでの状態を指すものである。詳細については後述するが、「消灯検出部６３」による検出をトリガとして、光源装置２６を再点灯させるための再点灯処理を行う。なお、「消灯検出部６３」により消灯が検出される要因としては、電源状態（主電源４１）への電源供給状態が不安定になった場合などが考えられる。
【００２６】
操作装置２５は、プロジェクタ１０本体に備えられた操作パネルやリモコン（いずれも図示省略）により実現されるものであり、主電源４１のＯＮ／ＯＦＦを操作する電源操作部４３と、上記の再点灯処理を通常処理時において最大何回実行可能とするかを設定する最大処理回数設定部４４と、１回の再点灯処理において点灯リトライを最大何回繰り返し可能とするかを設定する最大リトライ回数設定部４５と、を有している。最大処理回数設定部４４および最大リトライ回数設定部４５は、再点灯処理を実行可能な最大処理回数Ｎおよび点灯リトライ可能な最大リトライ回数Ｍを、それぞれ２以上の整数で設定可能となっている。設定は、ＯＳＤ（On Screen Display）によって設定画面をスクリーン（図示省略）上に表示し、最大処理回数Ｎおよび最大リトライ回数Ｍの各デフォルト値から数値を上下させることにより行う。
【００２７】
光源装置２６は、一対の電極間で放電発光が行われる光源ランプ４６と、楕円面リフレクタ等により構成される主反射鏡４７と、平行化凹レンズ４８と、を有している。光源ランプ４６から放射された光束は、主反射鏡４７により光源装置２６の前方側に射出方向を揃えて集束として射出され、さらに平行化凹レンズ４８により平行化される。光源ランプ４６としては、ハロゲンランプ、メタルハライドランプまたは高圧水銀ランプを適用可能である。また、請求項における「投射光源」とは、当該光源ランプ４６を指すものである。一方、主反射鏡４７としては、楕円面リフレクタ以外にも、光源ランプ４６から射出された光束を略平行化して反射するパラボラリフレクタを適用しても良い。パラボラリフレクタを適用する場合には、平行化凹レンズ４８は不要となる。
【００２８】
点灯装置２７は、制御装置３０の制御の下、光源装置２６を点灯させるためのものであり、イグナイタ部５１と、インバータ部５２と、電流制御部５３と、直流電源部５４と、を有している。イグナイタ部５１は、昇圧回路を備えており、光源ランプ４６の始動時に、一対の電極間に高電圧のパルス電圧を印加して絶縁破壊し、放電回路を作る。また、インバータ部５２および電流制御部５３は光源ランプ４６に所定電力および所定周波数で電流を供給するものである。具体的には、インバータ部５２に備えられたスイッチング素子が制御装置３０からの信号に応じて駆動することにより、直流電源部５４からの直流電流を所定周波数の矩形波交流電流に変換する。電流制御部５３は、制御装置３０の指令に応じて光源ランプ４６に供給する電流を一時的に増大させる。以下の説明において、「光源ランプ４６の点灯動作」とは、これらの一連の動作を指す。
【００２９】
冷却装置２８は、プロジェクタ１０の内部（特に光源装置２６廻り）の温度を冷却させるためのものであり、ファンモータ５６と、当該ファンモータ５６を制御するファン制御部５７と、を有している。ファン制御部５７は、温度検出部６１の検出結果から制御装置３０が温度異常と判定した場合、制御装置３０の指令に基づいてプロジェクタ１０の内部温度が正常温度に下がるまでファンモータ５６を高速回転させる。また、電源操作部４３の操作によって主電源４１がＯＦＦされた場合、サブ電源４２からの電源供給によって所定時間ファンモータ５６を回転させた後、ファンモータ５６の駆動を停止させる。
【００３０】
エラー報知装置２９は、制御装置３０が光源ランプ４６の異常を検知した場合にその旨を表示するランプ異常表示部５８と、制御装置３０が温度異常を検知した場合にその旨を表示する温度異常表示部５９と、を有している。これらランプ異常表示部５８および温度異常表示部５９は、各情報に対応して設けられたＬＥＤを点灯または点滅させることにより異常を報知する。なお、エラー報知装置２９としては、表示による報知以外に、音声（電子音や音声ガイダンス）によってエラー報知を行うためのスピーカを備えても良いし、ＬＡＮ回線や電子メール等の手段によって、管理者に異常内容を示すメッセージを送信するための通信部を備えても良い。
【００３１】
制御装置３０は、ＣＰＵ（Central Processing Unit）を主要構成要素としてプロジェクタ１０内の各部を統括制御するものであり、信号入力部３１と、画像処理部３２と、記憶部３３と、起動時点灯制御部３４と、再点灯制御部３５と、を有している。
【００３２】
信号入力部３１は、パーソナルコンピュータやビデオレコーダ等の外部機器７２から画像データおよび制御信号を入力する。この場合、信号入力部３１は、パーソナルコンピュータから出力されたＲＧＢ信号やビデオレコーダから出力されたコンポジット信号を受信するインターフェースにより実現される。また、信号入力部３１として、外部記憶媒体（図示省略）から画像データ等を取得するようにしても良い。この場合、信号入力部３１は、メモリカードや光ディスクを読み取るメモリカードスロットや光ディスクドライブにより実現される。
【００３３】
画像処理部３２は、信号入力部３１により入力された画像データに対し、予め記憶されている画像処理プログラムに基づいて、所定の画像処理を実行する。所定の画像処理としては、キーストーン歪補正処理、画質調整処理、画像サイズ調整処理、ガンマ補正処理等を行う。
【００３４】
記憶部３３は、最大処理回数設定部４４により設定された最大処理回数Ｎおよび最大リトライ回数設定部４５により設定された最大リトライ回数Ｍを記憶する設定情報記憶部３３ａと、ログ情報を記憶するログ情報記憶部３３ｂと、を有している。これら設定情報記憶部３３ａおよびログ情報記憶部３３ｂは、フラッシュＲＯＭ等の不揮発性且つ書き換え可能なメモリにより構成される。なお、特に図示しないが、プロジェクタ１０は、書き換え不可能なＲＯＭ等のメモリも搭載しており、当該書き換え不可能なメモリには、上記の画像処理プログラムを含む各種制御プログラムが記憶されている。
【００３５】
起動時点灯制御部３４は、主電源４１がＯＮした後の最初の点灯処理である起動時点灯処理を制御するものである。起動時点灯制御部３４は、起動時に１回のみ点灯処理（起動時点灯処理）を実行し、当該点灯処理が失敗した場合は、上記のランプ異常表示部５８にエラー表示を行わせる。なお、起動時点灯処理では、点灯動作を行って点灯成功しなかった場合（不点灯検出部６２によって光源ランプ４６の不点灯が検出された場合）、設定情報記憶部３３ａに記憶された最大リトライ回数（Ｍ回）を限度として点灯リトライを行い、Ｍ回の点灯リトライ後も光源ランプ４６が点灯しない場合、当該起動時点灯処理が失敗したものと看做す。
【００３６】
再点灯制御部３５は、通常処理時における再点灯処理を制御するものである。再点灯制御部３５は、消灯検出部６３による検出をトリガとして点灯処理（再点灯処理）を行う。但し、再点灯処理は、設定情報記憶部３３ａに記憶された最大処理回数（Ｎ回）を上限として実行される。したがって、消灯検出部６３により（Ｎ＋１）回目の消灯が検出された場合は、光源ランプ４６に異常が発生したものとして（光源切れなど）、ランプ異常表示部５８にエラー表示を行わせる。また、再点灯処理においても、点灯動作を行って点灯成功しなかった場合、設定情報記憶部３３ａに記憶された最大リトライ回数（Ｍ回）だけ点灯リトライを行い、Ｍ回の点灯リトライ後も光源ランプ４６が点灯しない場合は、当該再点灯処理が失敗したものと看做す。
【００３７】
なお、プロジェクタ１０は、上記の構成以外にも、照明光束を射出する照明光学装置、照明光学装置から射出された光束を画像データに応じて変調し、画像光を形成する光変調装置（液晶パネル）、カラー画像を形成する色合成光学装置（クロスダイクロイックプリズム）、変調された画像光を拡大投射する投射光学装置等を備えているが、既存の技術を適用可能であるため詳細な説明を省略する。
【００３８】
次に、図２を参照し、記憶部３３に記憶される設定情報およびログ情報の詳細について説明する。上記の通り、記憶部３３の設定情報記憶部３３ａには、最大処理回数設定部４４により設定された最大処理回数Ｎおよび最大リトライ回数設定部４５により設定された最大リトライ回数Ｍが記憶されるが、最大リトライ回数Ｍは、さらに起動時と通常処理時とに分けて設定可能となっている。したがって、設定情報記憶部３３ａには、図２（ａ）に示すように、最大処理回数Ｎと、起動時点灯処理における最大リトライ回数Ｍａと、再点灯処理における最大リトライ回数Ｍｂと、が記憶される。
【００３９】
一方、記憶部３３のログ情報記憶部３３ｂには、図２（ｂ）に示す各種ログ情報（「１．ランプ異常発生回数」、「２．全操作時間」、「３．異常ログ」、「４．再点灯処理回数」、「５．点灯成功までに実行された点灯リトライ回数」）が記憶される。
【００４０】
「１．ランプ異常発生回数」とは、起動時点灯処理および再点灯処理において、過去何回点灯処理が失敗したかの累計を指すものであり、ランプ異常表示部５８の表示回数に相当する。また、「２．全操作時間」とは、プロジェクタ１０の稼働時間（主電源４１およびサブ電源４２の少なくとも一方が稼動している時間）の累計を指すものである。
【００４１】
また、「３．異常ログ」としては、プロジェクタ１０内部または外部機器７２との通信によって発生した異常（エラー）の内容と、起動時（主電源４１がＯＮされて）からその異常が発生した時点までの経過時間と、が記録される。本実施形態のプロジェクタ１０では、過去１６回分の異常ログが保存され、故障時やメンテナンス時に参照される。
【００４２】
また、「４．再点灯処理回数」としては、通常処理時において実行された再点灯処理の回数分布が記録される。つまり、主電源４１の電源ＯＮ後、消灯検出部６３により何回消灯が検出されたかの頻度を記録する。例えば、最大処理回数Ｎとして設定可能な最大値がＮｍ回である場合、過去再点灯処理を行わなかった通常処理の回数が○○回、過去再点灯処理を１回行った通常処理の回数○○回・・・といった要領で、再点灯処理回数０から再点灯処理回数Ｎｍまでの分布が記録される。なお、当該「４．再点灯処理回数」は、ユーザが最大処理回数Ｎを設定する際の参考値として用いられる。つまり、外部機器７２からのアクセス、または操作装置２５の操作によって参照可能となっている。
【００４３】
また、「５．点灯成功までに実行された点灯リトライ回数」としては、起動時点灯処理において実行された点灯リトライ回数と、再点灯処理において実行された点灯リトライ回数と、の回数分布がそれぞれ記録される。つまり、各点灯処理において、不点灯検出部６２により何回不点灯が検出されたかの頻度を記録する。例えば、起動時の最大リトライ回数Ｍａとして設定可能な最大値がＭｍａ回である場合、点灯リトライを行わなかった起動時点灯処理の回数が○○回、過去点灯リトライを１回行った起動時点灯処理の回数が○○回・・・といった要領で、点灯リトライ回数０から点灯リトライ回数Ｍｍａまでの分布が記録される。
【００４４】
同様に、通常処理時の最大リトライ回数Ｍｂとして設定可能な最大値がＭｍｂ回である場合、点灯リトライを行わなかった再点灯処理の回数が○○回、過去点灯リトライを１回行った再点灯処理の回数が○○回・・・といった要領で、点灯リトライ回数０から点灯リトライ回数Ｍｍｂまでの分布が記録される。なお、当該「５．点灯成功までに実行された点灯リトライ回数」も、「４．再点灯処理回数」と同様に、外部機器７２からのアクセス、または操作装置２５の操作によって参照可能となっており、ユーザが最大リトライ回数Ｍａ，Ｍｂを設定する際の参考値として用いられる。
【００４５】
次に、図３のフローチャート、およびそのサブルーチンである図４のフローチャートを参照し、起動処理について説明する。なお、以下に示すフローチャート（図３ないし図６）の主体は、いずれもプロジェクタ１０（制御装置３０）であり、重複説明を避けるため、主語を適宜省略する。
【００４６】
図３に示すように、プロジェクタ１０は、主電源４１がＯＮされると（Ｓ０１：Ｙｅｓ）、各種フラグやカウンタ値をリセットするなどの初期設定を行った後（Ｓ０２）、起動時点灯処理を実行する（Ｓ０３）。起動時点灯処理を実行した結果、起動時点灯処理が成功した場合（光源ランプ４６が点灯した場合）は（Ｓ０４：Ｙｅｓ）、通常処理（図５参照）に移行する。一方、起動時点灯処理が失敗した場合（最大リトライ回数Ｍａの点灯リトライ後も光源ランプ４６が点灯しなかった場合）は（Ｓ０４：Ｎｏ）、ランプ異常表示部５８の表示（エラー報知処理）を含むエラー処理を行い（Ｓ０５）、起動処理を終了する。
【００４７】
続いて、図４を参照し、図３のＳ０３に相当する起動時点灯処理について説明する。プロジェクタ１０は、起動時点灯処理として、まず点灯装置２７により光源ランプ４６を点灯させるための点灯動作を行う（Ｓ１１）。ここで、光源ランプ４６が点灯した場合は（Ｓ１２：Ｙｅｓ）、起動時点灯処理が成功したものとして（Ｓ１３）、点灯リトライ回数をカウントするカウンタをリセットし（Ｓ１４）、処理を終了する。
【００４８】
一方、点灯動作を行っても光源ランプ４６が点灯しなかった場合は（Ｓ１２：Ｎｏ）、点灯リトライ回数が設定された最大リトライ回数Ｍａ以上であるか否かを判別する（Ｓ１５）。ここで、点灯リトライ回数が最大リトライ回数Ｍａに達していない場合は（Ｓ１５：Ｎｏ）、点灯リトライし（Ｓ１６）、点灯リトライ回数のカウンタ値を「＋１」する（Ｓ１７）。そして、点灯リトライを繰り返し（Ｓ１２，Ｓ１５〜Ｓ１７）、点灯リトライ回数が最大リトライ回数Ｍａに達した場合は（Ｓ１５：Ｙｅｓ）、起動時点灯処理が失敗したものとして（Ｓ１８）、点灯リトライ回数カウンタをリセットした後（Ｓ１４）、処理を終了する。
【００４９】
次に、図５のフローチャート、およびそのサブルーチンである図６のフローチャートを参照し、通常処理について説明する。当該通常処理は、起動時点灯処理が成功した後の処理であって、スクリーンに対する画像投射が実際に実行可能な状態における処理である。図５に示すように、プロジェクタ１０は、消灯検出部６３により光源ランプ４６の消灯を検出すると（Ｓ２１：Ｙｅｓ）、今までの（主電源４１の電源ＯＮ後に実行した）再点灯処理の回数が設定された最大処理回数Ｎ以上であるか否かを判別する（Ｓ２２）。ここで、再点灯処理の回数が最大処理回数Ｎに達していない場合は（Ｓ２２：Ｎｏ）、再点灯処理を行い（Ｓ２３）、再点灯処理回数のカウンタ値を「＋１」する（Ｓ２４）。また、Ｓ２３の再点灯処理が成功した場合は（Ｓ２５：Ｙｅｓ）、そのまま通常処理を続行する。
【００５０】
一方、再点灯処理の回数が最大処理回数Ｎに達した場合は（Ｓ２２：Ｙｅｓ）、ランプ異常表示部５８の表示（エラー報知処理）を含むエラー処理を行い（Ｓ２６）、再点灯処理回数カウンタをリセットして（Ｓ２７）、通常処理を終了する。また、通常処理中に主電源４１がＯＦＦされた場合も（Ｓ２８：Ｙｅｓ）、再点灯処理回数カウンタをリセットして（Ｓ２７）、通常処理を終了する。
【００５１】
続いて、図６を参照し、図５のＳ２３に相当する再点灯処理について説明する。再点灯処理は、図４に示した起動時点灯処理と略同一の動作フローとなる。すなわちプロジェクタ１０は、再点灯処理として、まず点灯装置２７により光源ランプ４６を点灯させるための点灯動作を行う（Ｓ３１）。ここで、光源ランプ４６が点灯した場合は（Ｓ３２：Ｙｅｓ）、再点灯処理が成功したものとして（Ｓ３３）、点灯リトライ回数カウンタをリセットし（Ｓ３４）、処理を終了する。
【００５２】
一方、点灯動作を行っても光源ランプ４６が点灯しなかった場合は（Ｓ３２：Ｎｏ）、点灯リトライ回数が設定された最大リトライ回数Ｍｂ以上であるか否かを判別し（Ｓ３５）、最大リトライ回数Ｍｂに達していない場合は（Ｓ３５：Ｎｏ）、点灯リトライして（Ｓ３６）、点灯リトライ回数カウンタ値を「＋１」する（Ｓ３７）。そして、点灯リトライを繰り返し（Ｓ３２，Ｓ３５〜Ｓ３７）、点灯リトライ回数が最大リトライ回数Ｍｂに達した場合は（Ｓ３５：Ｙｅｓ）、再点灯処理が失敗したものとして（Ｓ３８）、点灯リトライ回数カウンタをリセットした後（Ｓ３４）、処理を終了する。
【００５３】
以上説明したとおり、本実施形態のプロジェクタ１０は、電源状態が不安定になったことなどに起因して光源ランプ４６が消灯したことを検出した場合、光源ランプ４６を再点灯させるための再点灯処理を自動的に実行するため、ユーザが手動で再電源投入動作を行う手間を省くことができる。また、プロジェクタ１０の使用状況やニーズに応じて、最大処理回数Ｎを任意に設定することができるため、使い勝手が良い。さらに、再点灯処理の実行回数をログ情報として記録しておき、これを参照することができるため、ユーザは固体毎に最適な最大処理回数Ｎを設定することができる。
【００５４】
また、起動時点灯処理や再点灯処理において点灯リトライを許容する最大リトライ回数Ｍａ，Ｍｂを任意に設定することができるため、さらに個々のユーザのニーズに合った使い方ができる。また、起動時点灯処理や再点灯処理におけるリトライ回数の頻度もログ情報として記録しておくため、最大リトライ回数Ｍａ，Ｍｂについても固体毎に最適な値を設定することができる。
【００５５】
なお、上記の実施形態では、起動時と通常処理時との各点灯処理で、許容可能な最大リトライ回数Ｍａ，Ｍｂを個々に設定できるものとしたが、共通した値を設定できるようにしても良い。また、起動時点灯処理の最大リトライ回数Ｍａを固定値とし、ユーザは再点灯処理の最大リトライ回数Ｍｂのみを設定できるようにしても良い。
【００５６】
また、上記の実施形態では、再点灯制御部３５は、光源ランプ４６の消灯検出をトリガとして再点灯処理を実行するものとしたが、再点灯処理の実行を条件付きとしても良い。例えば、温度検出部６１により所定温度以上の温度を検出した後に消灯検出部６３により光源ランプ４６の消灯を検出した場合は、再点灯処理を実行しないようにしても良い。つまり、温度検出部６１による検出温度が所定温度未満であることを条件として再点灯処理を実行しても良い。この構成によれば、プロジェクタ内部（特に光源装置２６付近）の異常温度を検出した場合、安全性の面から光源ランプ４６を消灯する処理が行われることがあるが、そのような場合（異常温度の検出を起因とした光源ランプ４６の消灯を検出した場合）は再点灯処理を実行しないため、安全性を確保することができる。なお、光源ランプ４６の消灯を検出したものの異常温度の検出により再点灯処理の実行を中止した場合は、冷却装置２８によりファンモータ５６を高速回転させ、プロジェクタ内部を急速冷却するなどの措置を講じることが好ましい。
【００５７】
また、再点灯処理を実行するための条件として、「電源供給が安定していないこと」に限定しても良い。この場合、電源装置２１への電源供給状態を監視し、その結果電源供給が不安定であることを検出し、且つ光源ランプ４６の消灯を検出した場合に、再点灯処理を実行することとなる。
【００５８】
次に、図７を参照し、本発明の第２実施形態について説明する。上記の第１実施形態では、設定情報として、操作装置２５の操作によって設定された最大処理回数Ｎおよび最大リトライ回数Ｍａ，Ｍｂを記憶しておくものとしたが、本実施形態では、ログ情報に基づいて設定情報を動的に変更させる点で異なる。以下、第１実施形態と異なる点を中心に説明する。
【００５９】
図７に示すように、本実施形態に係るプロジェクタ１０は、図１に示した第１実施形態のプロジェクタ１０に対し、操作装置２５から最大処理回数設定部４４および最大リトライ回数設定部４５が削除され、制御装置３０内に、処理回数学習部３６と、リトライ回数学習部３７と、が新たに追加されている。
【００６０】
処理回数学習部３６は、再点灯処理の実行回数を集計し、当該集計結果に基づいて設定情報記憶部３３ａに記憶されている最大処理回数Ｎの値を動的に変更するものである。「最大処理回数Ｎを動的に変更する」とは、具体的にログ情報として記録した「４．再点灯処理回数」（図２（ｂ）参照）の集計値から平均値を算出することを指す。したがって、再点灯処理回数の平均実行回数を、例えば３回と算出した場合、３回を上限として再点灯処理が実行され、４回目の消灯検出時にはエラー処理が実行されることとなる。
【００６１】
また、リトライ回数学習部３７は、起動時と通常処理時とで、光源ランプ４６の点灯成功までに実行された点灯リトライ回数をそれぞれ集計し、当該集計結果に基づいて設定情報記憶部３３ａに記憶されている最大リトライ回数Ｍａ，Ｍｂの値を動的に変更するものである。「最大リトライ回数Ｍａ，Ｍｂを動的に変更する」とは、具体的にログ情報として記録した「５．点灯成功までに実行された点灯リトライ回数」（図２（ｂ）参照）の集計値から平均値を算出することを指す。したがって、点灯リトライ回数の平均実行回数を、例えば５回と算出した場合、５回を上限として点灯リトライが実行され、５回の点灯リトライ後も光源ランプ４６が点灯しない場合は、その点灯処理は失敗したものと看做す。
【００６２】
なお、「再点灯処理の実行回数」や「起動時および通常処理時における点灯リトライ回数」の集計を行うタイミングおよび設定情報記憶部３３ａを書き換えるタイミング（最大処理回数Ｎや最大リトライ回数Ｍａ，Ｍｂを変更するタイミング）は、電源投入をトリガとしても良いし、所定の操作時間毎に実行してもよいし、操作装置２５または外部機器７２から所定の指令を受けたときに実行するようにしても良い。
【００６３】
また、学習の仕方としては、上記のように再点灯処理回数や点灯リトライ回数の平均値を算出するのではなく、最大処理回数Ｎや最大リトライ回数Ｍａ，Ｍｂとして、中心値（最大値と最小値の中心となる値）を求めたり、最も多い再点灯処理回数や点灯リトライ回数を求めたりしても良い。また、学習の仕方を、これら複数の候補の中からユーザが指定できるようにしても良い。
【００６４】
以上説明したとおり、第２実施形態によれば、再点灯処理回数や点灯リトライ回数を集計し、再点灯処理や点灯動作の実行状況を学習することによって、ユーザの手を煩わせることなく、固体毎に適切な最大処理回数Ｎや最大リトライ回数Ｍを設定することができる。
【００６５】
なお、第２実施形態においても、起動時と通常処理時とで点灯リトライ回数を共通して学習し、設定情報記憶部３３ａに共通した最大リトライ回数Ｍの値を記憶させるようにしても良い。また、第２実施形態においても、異常温度の検出を起因とした光源ランプ４６の消灯を検出した場合は、再点灯処理を実行しないことが好ましい。
【００６６】
また、第２実施形態では、最大処理回数設定部４４および最大リトライ回数設定部４５を有しない構成とするものとしたが、学習した最大処理回数Ｎや最大リトライ回数Ｍをデフォルト値として利用し、さらにそのデフォルト値から、ユーザが好みの最大処理回数Ｎや最大リトライ回数Ｍを設定できるようにしても良い。
【００６７】
なお、上記の２つの実施形態に示したプロジェクタ１０の各構成要素をプログラムとして提供することが可能である。また、そのプログラムを各種記録媒体（ＣＤ−ＲＯＭ、フラッシュメモリ等）に格納して提供することも可能である。すなわち、コンピュータを、プロジェクタ１０の各部として機能させるためのプログラム、およびそれを記録した記録媒体も、本発明の権利範囲に含まれるものである。
【００６８】
また、上記の実施形態では、液晶表示方式を採用しているが、ＣＲＴ表示方式やライトスイッチ表示方式（マイクロミラーデバイス方式）など、表示原理は問わない。その他、本発明の要旨を逸脱しない範囲で、適宜変更が可能である。
【図面の簡単な説明】
【００６９】
【図１】第１実施形態に係るプロジェクタのブロック図である。
【図２】記憶部に記憶される設定情報およびログ情報を示す図である。
【図３】プロジェクタの起動処理を示すフローチャートである。
【図４】プロジェクタの起動時点灯処理を示すフローチャートである。
【図５】プロジェクタの通常処理を示すフローチャートである。
【図６】プロジェクタの再点灯処理を示すフローチャートである。
【図７】第２実施形態に係るプロジェクタのブロック図である。
【符号の説明】
【００７０】
１０…プロジェクタ  ２６…光源装置  ２７…点灯装置  ２９…エラー報知装置  ３０…制御装置  ３３…記憶部  ３４…起動時点灯制御部  ３５…再点灯制御部  ４４…最大処理回数設定部  ４５…最大リトライ回数設定部  ４６…光源ランプ  ５８…ランプ異常表示部  ６２…不点灯検出部  ６３…消灯検出部
【図１】
2009163095.tif 000003
【図２】
2009163095.tif 000004
【図３】
2009163095.tif 000005
【図４】
2009163095.tif 000006
【図５】
2009163095.tif 000007
【図６】
2009163095.tif 000008
【図７】
2009163095.tif 000009